(57)【要約】【課題】  キャップの回転動作によって音を発し、利用者にキャップの開閉を感覚的に認識させることができるねじキャップを提供すること。【解決手段】  容器本体に装着される中栓と、中栓に螺合されるキャップとからなるねじキャップであって、中栓は、容器本体の口部に装着される嵌合筒部と、嵌合筒部から内方に延設された上壁と、上壁に設けられた注出筒部とを具え、キャップは、頂壁と、頂壁の外周縁から垂設された外周壁とを具え、中栓の上壁または嵌合筒部の上面に設けられた音出し突部と、キャップから垂設され、音出し突部と係合して音を発する音出し部材とを有することを特徴とする。【選択図】  図１
2018172156.tif 000002
【特許請求の範囲】
【請求項１】
容器本体に装着される中栓と、中栓に螺合されるキャップとからなるねじキャップであって、
中栓は、容器本体の口部に装着される嵌合筒部と、嵌合筒部から内方に延設された上壁と、上壁に設けられた注出筒部とを具え、
キャップは、頂壁と、頂壁の外周縁から垂設された外周壁とを具え、
中栓の上壁または嵌合筒部の上面に設けられた音出し突部と、キャップから垂設され、音出し突部と係合して音を発する音出し部材とを有することを特徴とするねじキャップ。
【請求項２】
音出し部材は、キャップから垂設された剛直な基部と、基部の下端面から垂設された弾性変形可能な振動片とを有することを特徴とする請求項１に記載のねじキャップ。
【請求項３】
中栓は、嵌合筒部から立設されたねじ周壁を具え、
キャップは、頂壁の下面から垂設されたねじ筒部を具え、
音出し部材は、キャップの頂壁下面またはねじ筒部から垂設されることを特徴とする請求項１または２に記載のねじキャップ。
【請求項４】
中栓の注出筒部は、注出筒と、注出筒の内周面に形成された薄肉弱化部を介して連設された栓体とからなり、
栓体は、上部に立設された筒状壁と、筒状壁の外周に突設されたラチェット機構の一方の第１歯部とを有し、
キャップの頂壁は、下面から垂設され、注出筒に嵌合する内周壁と、内周壁の内周に、ラチェット機構の他方の第２歯部とを有することを特徴とする請求項１〜３のいずれかに記載のねじキャップ。
【請求項５】
中栓は、嵌合筒部の上面にストッパーを有し、
キャップ本体のねじ筒部は、下端にストッパーに係合するくさび状凹部を有することを特徴とする請求項３または４に記載のねじキャップ。
【請求項６】
キャップは、キャップ本体と、キャップ本体に破断可能に連結された封緘リングとからなり、
封緘リングは、キャップ本体の外周壁に破断可能な複数の弱化連結部により連結されるとともに、内周が中栓の嵌合筒部の外周に嵌合していることを特徴とする請求項１〜５のいずれかに記載のねじキャップ。
【請求項７】
中栓の嵌合筒部は、周方向にわたって外周面から径方向に切欠き凹部が凹設され、嵌合筒部の下部に、中栓を容器本体から分離して分別廃棄可能とする分別機構を有することを特徴とする請求項１〜６のいずれかに記載のねじキャップ。
【発明の詳細な説明】
【技術分野】
【０００１】
本発明は、ねじキャップに関し、とくに、蓋の開閉時に音を発することができるねじキャップに関するものである。
【背景技術】
【０００２】
キャップを回転させることにより開閉するねじキャップとして、キャップの回転動作によって音を発し、利用者に蓋の開閉を感覚的に認識させることができるねじキャップは従来から知られている（例えば、特許文献１参照）。
上記特許文献１記載のねじキャップは、キャップのねじを設けた周壁の内周面に音出しリブを設け、容器の口部のねじを設けた外周面に係合突起を形成し、キャップの締結完了時に音出しリブが係合突起を乗り越えて音が発するものである。
【先行技術文献】
【特許文献】
【０００３】
【特許文献１】特開２０１５−３０４８４号公報
【発明の概要】
【発明が解決しようとする課題】
【０００４】
しかしながら、上記特許文献１記載のねじキャップの構成では、例えば、容器の口部とキャップとの間に容器の口部を封印するとともに、注出口となる中栓が設けられた場合、キャップの構造などにより、キャップの音出しリブまたは係合突起をキャップのねじを設けた周壁の内周およびキャップと螺合する中栓の外周壁の外周面に配設することが難しい場合があり、例えば、分別機構のある中栓と、この中栓に螺合するキャップやキャップの下部に封緘リングを設けたものなどの場合に、音出しリブと係合突起を配設することが難しいという問題があった。
【０００５】
本発明は、上記問題を解決することを課題とし、容器本体に装着される中栓と、中栓に螺合するキャップとからなるねじキャップにおいて、キャップの回転動作によって音を発し、利用者にキャップの開閉を感覚的に認識させることができるねじキャップを提供することを目的とする。
【課題を解決するための手段】
【０００６】
本発明は、上記の課題を解決するため、ねじキャップとして、容器本体に装着される中栓と、中栓に螺合されるキャップとからなるねじキャップであって、中栓は、容器本体の口部に装着される嵌合筒部と、嵌合筒部から内方に延設された上壁と、上壁に設けられた注出筒部とを具え、キャップは、頂壁と、頂壁の外周縁から垂設された外周壁とを具え、中栓の上壁または嵌合筒部の上面に設けられた音出し突部と、キャップから垂設され、音出し突部と係合して音を発する音出し部材とを有することを特徴とする構成を採用する。
【０００７】
ねじキャップの具体的実施形態として、音出し部材は、キャップから垂設された剛直な基部と、基部の下端面から垂設された弾性変形可能な振動片とを有することを特徴とする構成を採用し、また、中栓は、嵌合筒部から立設されたねじ周壁を具え、キャップは、頂壁の下面から垂設されたねじ筒部を具え、音出し部材は、キャップの頂壁下面またはねじ筒部から垂設されることを特徴とする構成を採用し、また、中栓の注出筒部は、注出筒と、注出筒の内周面に形成された薄肉弱化部を介して連設された栓体とからなり、栓体は、上部に立設された筒状壁と、筒状壁の外周に突設されたラチェット機構の一方の第１歯部とを有し、キャップの頂壁は、下面から垂設され、注出筒に嵌合する内周壁と、内周壁の内周に、ラチェット機構の他方の第２歯部とを有することを特徴とする構成を採用する。
【０００８】
ねじキャップの別の具体的実施形態として、中栓は、嵌合筒部の上面にストッパーを有し、キャップ本体のねじ筒部は、下端にストッパーに係合するくさび状凹部を有することを特徴とする構成を採用し、また、キャップは、キャップ本体と、キャップ本体に破断可能に連結された封緘リングとからなり、封緘リングは、キャップ本体の外周壁に破断可能な複数の弱化連結部により連結されるとともに、内周が中栓の嵌合筒部の外周に嵌合していることを特徴とする構成を採用し、また、中栓の嵌合筒部は、周方向にわたって外周面から径方向に切欠き凹部が凹設され、嵌合筒部の下部に、中栓を容器本体から分離して分別廃棄可能とする分別機構を有することを特徴とする構成を採用する。
【発明の効果】
【０００９】
本発明のねじキャップは、容器本体に装着される中栓と、中栓に螺合されるキャップとからなる構成において、中栓の上壁または嵌合筒部に、音出し突部が配設され、キャップから垂設され、音出し突部と係合して、音を発する音出し部材が配設され、キャップの閉蓋完了時または開蓋始動時に音を発し、利用者にキャップの開閉状態を感覚的に認識させることができるので、中栓およびキャップからなるねじキャップにおいて利用することができる。
さらに、本発明のねじキャップは、不用意な開封を防止し、開封状態を外部から確実に視認することができるとともに、使用後の廃棄時に、中栓と容器本体との分別を容易にすることができる。
【図面の簡単な説明】
【００１０】
【図１】ねじキャップの実施例において、容器本体に打栓して装着した状態を示す図であり、（ａ）は図（ｂ）におけるＸ−Ｘ断面上面図、（ｂ）は側断面図である。
【図２】ねじキャップの中栓を示す図であり、（ａ）は上面図、（ｂ）は側面図である。
【図３】ねじキャップの中栓を示す図であり、（ａ）は側断面図、（ｂ）は図（ａ）におけるＹ−Ｙ断面上面図である。
【図４】ねじキャップのキャップを示す図であり、（ａ）は側断面図、（ｂ）は下面図である。
【図５】図１（ａ）の要部拡大図で、（ａ）はキャップを中栓に閉蓋回転終了前、（ｂ）は図１（ａ）のキャップを中栓にセット終了時の図である。
【図６】キャップの音出し部材と中栓の音出し突部との関係を示す図で、（ａ）は図５（ａ）に対応する閉蓋回転終了前の図、（ｂ）は閉蓋回転進行時の図、（ｃ）は開蓋回転進行時の図である。
【図７】ねじキャップの実施例において、キャップを中栓から開蓋した時の側断面図である。
【発明を実施するための形態】
【００１１】
次に、本発明のねじキャップについて、図面を参照して説明する。
図１において、Ａは容器本体、Ｂは容器本体Ａに装着される中栓、Ｃは中栓Ｂに螺合されるキャップである。
【００１２】
図１に示すように、容器本体Ａの口部１は、中栓Ｂに嵌着して抜け止め保持する係止突条２を具えている。
【００１３】
図１〜３に示すように、中栓Ｂは、外周側の外筒５、内周側の内筒６、口部１の天面側に位置するリング状の下段上壁７とからなり、口部１が嵌入する環状溝を形成する嵌合筒部４と、下段上壁７の内縁に立設されたねじ周壁８と、ねじ周壁８の上端に下面外縁を連設するリング状の上段上壁９と、上段上壁９の内縁に立設された注出筒部１０とからなる。
【００１４】
注出筒部１０は、上部に拡径して外側に湾曲するリップ部を有する円筒状の注出筒１１と、注出筒１１の内周面に、全周にわたって形成された薄肉弱化部１２を介して一体に連設された栓体１３とからなっている。
栓体１３は、上部に円筒状の筒状壁１４が立設され、栓体１３の下部は、底壁１５が薄肉弱化部１２とともに注出口を封鎖している。
【００１５】
筒状壁１４は、外周にラチェット機構の一方の第１歯部を構成する係合突起１６が周方向６個所に突設され、内周上部には第１係合突部１７が環状に突設されている。
係合突起１６は、後述するキャップＣの第２歯部と係合する略径方向に形成された第１係合面１８と、その周方向反対側に傾斜面を形成する非係合面１９とを有し、その平面視形状は、筒状壁１４の外周面側を底辺とする略台形状をなしている。
また、本実施例では、係合突起１６は、周方向６個所に設けているが、６個所に限らず栓体の形状等に合わせて複数の適宜個所に設けることができ、必ずしも台形状である必要はなく直角三角形状でもよい。
【００１６】
ねじ周壁８の外周面には、後述するキャップＣの雌ねじ５５と螺合する雄ねじ２０が設けられている。
雄ねじ２０は、上端部が１２０°間隔で始まる３条ねじで形成されている。
ねじ周壁８の内周面には、上部を上段上壁９に連設し軸方向に延びる補強リブ２１が複数配設されている。
【００１７】
上段上壁９の上面には、内周側に隆起する段部２２が設けられ、段部２２の外周には、１２０°間隔で３個所に音出し突部２３が配設されている。
【００１８】
嵌合筒部４の下段上壁７の上面には、周方向の所定の３個所にストッパー２４が配設され、その螺脱方向には、略垂直に立ち上がった第１当接面２４ａが形成され、螺着方向には、第１傾斜面２４ｂが形成されている。
【００１９】
外筒５には、周方向にわたって外周面から径方向に切欠き凹部２５が凹設され、下部が、中栓Ｂを容器本体Ａから分離して分別廃棄可能とする分別機構Ｄとなっており、また、分別機構Ｄの下部内周に、容器本体Ａの係止突条２に係合して口部１を抜け止めする係止縮径部２６が設けられている。
外筒５の外周の切欠き凹部２５の上には、上下方向に溝が切られた外周ローレット部２７が設けられている。
【００２０】
分別機構Ｄは、図３（ｂ）に示すように、外筒５の下部外周面の所定円弧範囲にわたって軸方向に形成された貫通スリット２８を介して把持部２９が設けられ、把持部２９は、薄肉の縦切断部３０によって外筒５から切り離され外方に展開可能になっている。
把持部２９の縦切断部３０から右方向には、指先を入れて引っ掛けるための引っ掛け部３１が形成され、把持部２９内周面には手指で把持する把持凹凸部３２が波状に設けられている。
貫通スリット２８は、縦切断部３０から把持部２９と反対方向（左方向）に始端部２８ａまで延び、他方の端部である終端部２８ｂで把持部２９が外筒５と一体となっている。
なお、本実施例では、貫通スリット２８は、約１１０°の円弧範囲にわたって形成されている。
【００２１】
貫通スリット２８の終端部２８ｂに隣接する外筒５の係止縮径部２６を含めた下部は、径方向に切り欠かれており、外筒５と把持部２９の間に破断可能な薄肉始断部３３が形成されている。
外筒５の切欠き凹部２５には、貫通スリット２８の終端部２８ｂから背面方向に延び、始端部２８ａ付近までの間の外筒５の内周側に破断可能な薄肉の周方向切断部３４と、周方向切断部３４の端部と終端部２８ｂとの間の大部分が把持部２９に対向する厚肉の厚肉連結部３５が形成されている。
【００２２】
図１、４に示すように、キャップＣは、キャップ本体Ｃ１と、キャップ本体Ｃ１に破断可能に連結された封緘リングＣ２とからなっている。
キャップ本体Ｃ１は、頂壁４０と、頂壁４０の外周縁から垂設された外周壁４１とを有している。
頂壁４０の下面には、中央の係着部４２から同心円状の外側へ順に、内周壁４３、ねじ筒部４４が垂設され、また、内周壁４３とねじ筒部４４との間に、音出し部材４５が同心円状の１２０°間隔で３個所に配設されている。
【００２３】
係着部４２には、中栓Ｂの第１係合突部１７を乗り越えて筒状壁１４の内周面に緊密に嵌合する環状の第２係合突部５０が先端外周に形成されている。
【００２４】
内周壁４３は、閉蓋時に、外周が注出筒１１の内周面に当接して注出口を密閉する径で形成され、内周に、第１歯部を構成する係合突起１６に係合する第２歯部を構成する係合腕５１が係合突起１６と同数の周方向６個所に設けられている。
【００２５】
係合腕５１は、開栓時にキャップＣをねじ解放方向に回転させたとき、係合突起１６の第１係合面１８に係合する略径方向の第２係合面５２を有する先端係合部５３と、内周壁４３の内周面から螺脱方向に傾斜して延びる先端係合部５３より薄肉で変形可能な腕部５４を具えている。
【００２６】
ねじ筒部４４は、内周に中栓Ｂの雄ねじ２０に螺合する雌ねじ５５が設けられ、下端面には、ストッパー２４に係合するくさび状凹部５６が周方向３個所に形成されている。
くさび状凹部５６には、螺脱方向に略垂直な第２当接面５６ａが形成され、螺着方向に第２傾斜面５６ｂが形成されており、それぞれストッパー２４の第１当接面２４ａ、第１傾斜面２４ｂに対応する形状をなしている。
ねじ筒部４４の下端面が下段上壁７に当接するとともに、第２当接面５６ａが第１当接面２４ａに当接するとキャップＣの締め込みが完了する。
ストッパー２４およびくさび状凹部５６は、本実施例では周方向３個所に設けられているが、これに限定されず適宜の複数個所に設けることができる。
【００２７】
音出し部材４５は、頂壁４０の下面から垂設された剛直な棒状の基部５７と、基部５７の下端面から垂設され、周方向の厚さが弾性変形可能な薄肉に形成される振動片５８とからなっている。
音出し部材４５は、キャップＣの締め込み終了直前に振動片５８の先端が中栓Ｂの音出し突部２３に当接し、振動片５８を湾曲変形させながら締め込みが進み、締め込み終了と同時に振動片５８が音出し突部２３を乗り越え、復元しようとすることにより、振動し、音が発生されるように設定される。
本実施例では、基部５７は、同心円状の１２０°間隔で３個所に分かれて配設されているが、基部５７は、リング状に連続したものであっても構わない。
【００２８】
封緘リングＣ２は、外周壁４１の下端に、破断可能な複数の弱化連結部５９により連結されており、また、封緘リングＣ２の上面には、外周壁４１の下端との間にわずかな隙間を残して上部突起６０が、弱化連結部５９と重ならないように複数配設されている。
封緘リングＣ２の内周面には、中栓Ｂの外筒５の外周面に設けられた外周ローレット部２７に溝が噛み合う内周ローレット部６１が設けられている。
【００２９】
次に、本実施例の使用態様と作用効果について説明する。
まず、本実施例のねじキャップを容器本体Ａに装着するには、中栓ＢにキャップＣを螺合して締め込み、中栓ＢとキャップＣをセットしてから口部１に中栓Ｂの嵌合筒部４を当てがって上部から打栓する。
【００３０】
キャップ本体Ｃ１のねじ筒部４４の雌ねじ５５を中栓Ｂのねじ周壁８の雄ねじ２０に螺合して締め込む際には、キャップＣが回転し、キャップ本体Ｃ１の内周壁４３の係合腕５１は中栓Ｂの栓体１３の係合突起１６の非係合面１９に乗り上げ、係合突起１６を乗り越えて、キャップＣの回転を許容する。
【００３１】
さらにキャップＣが下降することにより、キャップ本体Ｃ１の係着部４２の第２係合突部５０が中栓Ｂの栓体１３の第１係合突部１７を乗り越えて、筒状壁１４の内周面に嵌合するようになる。
同時に、ねじ筒部４４の下部のくさび状凹部５６が中栓Ｂの下段上壁７のストッパー２４に嵌合するようになり、さらに、雄ねじ２０と雌ねじ５５の締結が進んでいくと、くさび状凹部５６の第２当接面５６ａがストッパー２４の第１当接面２４ａに当接して両ねじの締結が完了する。
また、封緘リングＣ２が中栓Ｂの外筒５外周に嵌合し、キャップＣが中栓Ｂにセットされる。
【００３２】
両ねじの締結が完了する前には、図５（ａ）、図６（ａ）に示すように、キャップ本体Ｃ１の回転および下降により、キャップ本体Ｃ１のそれぞれの音出し部材４５の振動片５８先端が、中栓Ｂの上段上壁９のそれぞれの音出し突部２３に当接し、さらに回転が進むと、図６（ｂ）に示すように、振動片５８が湾曲変形しながら進み、最後は、図１（ａ）、図５（ｂ）に示すように、振動片５８の先端が音出し突部２３を乗り越える。
振動片５８の先端が音出し突部２３を乗り越えると、湾曲変形した振動片５８が復元しようとし、振動し、音が発せられる。
この音により、本発明の利用者は、感覚的にキャップの閉蓋終了を知ることができる。
【００３３】
セット状態に組立られた本実施例のねじキャップを容器本体Ａに打栓後は、中栓Ｂの外筒５に封緘リングＣ２が固定されるため、キャップ本体Ｃ１を螺脱方向に回転させると、キャップ本体Ｃ１と封緘リングＣ２を連結する弱化連結部５９を破断してしまうので、目視で開封状況を容易に確認することができ、いたずら等による開封を防止することができる。
【００３４】
次に、本実施例のねじキャップが装着された容器を使用するには、キャップ本体Ｃ１を中栓Ｂに対して螺脱方向に回転させる。
キャップ本体Ｃ１を、回転させると、まず、キャップ本体Ｃ１と封緘リングＣ２とを連結する弱化連結部５９が破断され、キャップ本体Ｃ１が回転していく。
また、弱化連結部５９が破断されると破断音がする。
【００３５】
その後、回転が進むと、図６（ｃ）に示すように、キャップ本体Ｃ１の音出し部材４５の振動片５８先端が、中栓Ｂの上段上壁９の音出し突部２３に当接し、さらに回転が進むと、振動片５８が湾曲変形しながら進み、振動片５８の先端が音出し突部２３を乗り越え、湾曲変形した振動片５８が復元して振動し、音が発せられる。
【００３６】
さらに回転すると、キャップ本体Ｃ１の内周壁４３の内周面から延びる係合腕５１が回動して、その先端係合部５３の第２係合面５２が中栓Ｂの栓体１３の係合突起１６の第１係合面１８に当接するようになり、キャップ本体Ｃ１の回転力がラチェット機構を介して栓体１３に加わるようになる。
係合腕５１の先端係合部５３は、腕部５４より厚肉に形成されているので、第２係合面５２は第１係合面１８に広い面積でしっかり当接係合するとともに回転力に負けない強度を有する。
【００３７】
このとき、係着部４２の第２係合突部５０が筒状壁１４の内周面に緊密に嵌合しているので、筒状壁１４を内側から補強してキャップ本体Ｃ１の回転力がラチェット機構を介して栓体１３に伝わりやすくなっているとともに、ねじの回転に伴って栓体１３を上方に引き上げる力を発生させる。
キャップ本体Ｃ１の回転が進むと、栓体１３に加わる回転力と引き上げ力により、ついには薄肉弱化部１２が破断して注出筒１１内に注出口が開栓され、注出筒部１０から分離された栓体１３は筒状壁１４に係合する係着部４２によって引き上げられてキャップ本体Ｃ１とともに上昇していく。
また、薄肉弱化部１２が破断されると破断音がする。
【００３８】
さらに、雌ねじ５５が雄ねじ２０から螺脱して、図７に示すように、キャップ本体Ｃ１を中栓Ｂから離脱させれば、キャップ本体Ｃ１とともに栓体１３が除去された注出筒部１０の開口から容器内の内容物を注出することができる。
【００３９】
本発明のねじキャップは、開蓋時に、弱化連結部５９が破断される破断音、振動片５８が振動して発せられる音、薄肉弱化部１２が破断される破断音と、３回音が発せられるので、本発明の利用者は、より感覚的にキャップの開蓋の状況を知ることができる。
また、振動片５８および音出し突部２３は、キャップ本体Ｃ１と中栓Ｂに、それぞれ３個所に設けられ、ほぼ３個所が同時に音を発するので、より一層音を大きくすることができる。
本実施例では、開蓋時に、弱化連結部５９の破断音、振動片５８が振動して発せられる音、薄肉弱化部１２の破断音と、３回に分けて音が発せられるが、全ての音がほぼ同時に発せられてもよい。
また、振動片５８が振動して発せられる音のみで、弱化連結部５９および薄肉弱化部１２の破断音がなく、クリック感だけであっても構わない。
【００４０】
内容物を注出した後、再度キャップ本体Ｃ１を中栓Ｂに螺合する際には、キャップ本体Ｃ１の内周壁４３の外周が注出筒１１内周に密着して容器内を密封することができる。
【００４１】
また、両ねじの締結が完了する際には、再度、音出し部材４５の振動片５８先端が、音出し突部２３に当接して振動し、音が発せられるので、本発明の利用者は、感覚的にキャップの閉蓋終了を知ることができる。
本発明の利用者は、キャップの閉蓋終了を感覚的に知ることができるので、キャップ本体Ｃ１を中栓Ｂに対して、無理に回転しすぎて、螺合が強くなりすぎ、開蓋するのに苦労することを防止することができる。
【００４２】
本実施例の注出キャップの中栓Ｂは、容器を使用した後に廃棄する際に、簡単な操作で容器本体Ａから分離し、分別して廃棄することができる。
まず、図２、３に示す縦切断部３０付近の引っ掛け部３１に手指を掛けて把持部２９を手前に引っ張ると、縦切断部３０が破断し、把持部２９が外方に展開する。
把持凹凸部３２を指で把持しながらさらに把持部２９を引っ張ると、貫通スリット２８の終端部２８ｂに隣接して設けられた薄肉始断部３３が破断し、周方向切断部３４へと破断が進んでいく。
【００４３】
周方向切断部３４が破断したところでは、係止縮径部２６の係止突条２への係合が解除されていくので、係止縮径部２６による口部１への拘束が解除され、把持部２９を引き上げると、中栓Ｂを容器本体Ａから離脱させ分別廃棄することができる。
【００４４】
本実施例では、キャップ本体Ｃ１が螺合するための回転角度を少なくするために雄ねじ２０および雌ねじ５５を３条ねじとしているが、別に回転の範囲を気にしないものであれば、３条ねじではなく、単数および複数の条数のねじとしもよい。
【００４５】
本実施例では、３条ねじに合わせて、中栓Ｂの音出し突部２３およびキャップ本体Ｃ１の音出し部材４５をそれぞれ係合する１２０°間隔で３個所に配設し、開閉の際に、ほぼ３個所同時に音を発し、音を大きくしているが、別に音を大きくしなくてもよければ、音出し部材４５または音出し突部２３のいずれかを１個所以上設け、回転終了間際にいずれか１個所以上係合して音出し部材４５が音を発するようにすればよい。
また、ねじの形式に合わせて音出し部材４５および音出し突部２３の数ならびに配設個所を決めればよい。
音出し部材および音出し突部の数ならびに配設個所は、本実施例の形態に限定されない。
【００４６】
本実施例では、閉蓋終了後の回転を止めるために、中栓Ｂおよびキャップ本体Ｃ１にストッパー２４およびくさび状凹部５６を設けているが、閉蓋終了時に、音出し部材４５により音が発せられ、利用者は、感覚的にキャップの閉蓋終了を知ることができるので、ストッパー２４およびくさび状凹部５６を設けなくても、利用者が無理に回転しすぎて、螺合が強くなりすぎることを防止することができる。
【００４７】
本実施例では、中栓Ｂの上段上壁９の上面に音出し突部２３が配設され、キャップ本体Ｃ１の頂壁４０の下面の内周壁４３とねじ筒部４４との間に音出し部材４５が垂設されているが、音出し突部２３を中栓Ｂの下段上壁７の上面のストッパー２４より外側に配設し、音出し部材４５をキャップ本体Ｃ１のねじ筒部４４の外側から垂設しても構わない。
また、中栓Ｂのストッパー２４自体を音出し突部とし、キャップ本体Ｃ１のねじ筒部４４の下面から切り込みを形成し、切り込みから音出し部材４５を垂設しても構わない。
以上のように、音出し突部および音出し部材を設ける場所は、本実施例の形態に限定されない。
【産業上の利用可能性】
【００４８】
本実施例のねじキャップは、キャップの開閉の際に音が発せられ、利用者がキャップの開閉状態を感覚的に知ることができ、閉蓋時に無理に回転しすぎて、螺合が強くなりすぎ、開蓋するのに苦労することを防止することができるので、子供やお年寄りでも安心して利用できる容器として好適である。
【符号の説明】
【００４９】
Ａ            容器本体
Ｂ            中栓
Ｃ            キャップ
Ｃ１          キャップ本体
Ｃ２          封緘リング
Ｄ            分別機構
１            口部
２            係止突条
４            嵌合筒部
５            外筒
６            内筒
７            下段上壁
８            ねじ周壁
９            上段上壁
１０            注出筒部
１１            注出筒
１２            薄肉弱化部
１３            栓体
１４            筒状壁
１５            底壁
１６            係合突起（第１歯部）
１７            第１係合突部
１８            第１係合面
１９            非係合面
２０            雄ねじ
２１            補強リブ
２２            段部
２３            音出し突部
２４            ストッパー
２４ａ          第１当接面
２４ｂ          第１傾斜面
２５            切欠き凹部
２６            係止縮径部
２７            外周ローレット部
２８            貫通スリット
２８ａ          始端部
２８ｂ          終端部
２９            把持部
３０            縦切断部
３１            引っ掛け部
３２            把持凹凸部
３３            薄肉始断部
３４            周方向切断部
３５            厚肉連結部
４０            頂壁
４１            外周壁
４２            係着部
４３            内周壁
４４            ねじ筒部
４５            音出し部材
５０            第２係合突部
５１            係合腕（第２歯部）
５２            第２係合面
５３            先端係合部
５４            腕部
５５            雌ねじ
５６            くさび状凹部
５６ａ          第２当接面
５６ｂ          第２傾斜面
５７            基部
５８            振動片
５９            弱化連結部
６０            上部突起
６１            内周ローレット部
【図１】
2018172156.tif 000003
【図２】
2018172156.tif 000004
【図３】
2018172156.tif 000005
【図４】
2018172156.tif 000006
【図５】
2018172156.tif 000007
【図６】
2018172156.tif 000008
【図７】
2018172156.tif 000009